(57)【要約】【課題】購入者にノベルティ商品（おまけ商品）を気に入って貰える確率が高くなり、それだけ商品の売れ行きが良くなるための包装用袋を提供する。【解決手段】二枚のシート（１、２）を重ねて長手方向中央部に芯材３を置いて長手方向両端部を溶着（熱溶着や超音波シール）し、さらに一定の間隔を開けて直角方向に２個所（Ｍ１、Ｍ２）を溶着（熱溶着や超音波シール）し、三つの空間（Ａ、Ａ、Ｍ）を設け、中央部Ｍには芯材３と商品の係止用の穴１０を設け、前記中央部Ｍより上下の二つの空間には芯材３の無い且つ二枚のシートのうちの一方のシート（例えば２）端部に、接着剤層４と該接着剤層４の上に剥離紙５を置き、物品収納空間Ａを形成するときには、剥離紙５を剥がして折り曲げて接着して上下に二つの物品収納空間を形成する。【選択図】図２
2011116431.tif 000002
【特許請求の範囲】
【請求項１】
二枚のシートを重ねて長手方向中央部に芯材を置いて長手方向両端部を溶着（熱溶着や超音波シール）し、さらに一定の間隔を開けて直角方向に２個所（Ｍ１、Ｍ２）を溶着（熱溶着や超音波シール）し、三つの空間（Ａ、Ａ、Ｍ）を設け、中央部Ｍには芯材と商品の係止用の穴を設け、前記芯材を置いた中央部Ｍより上下の二つの空間（Ａ、Ａ）には芯材３の無い且つ二枚のシートのうちの一方のシート（例えば２）端部に、接着剤層と該接着剤層の上に剥離紙５を置き、物品収納空間を形成するときには、剥離紙を剥がし、シートの端部をシート１側へ折り曲げて接着して上下に二つの物品収納空間（Ａ、Ａ）を形成してあることを特徴とする包装用袋。
【請求項２】
二枚のシートを重ねて長手方向中央部に芯材を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｃ、Ｃ、Ｍ）を設けると共に該三つの空間（Ｃ、Ｃ、Ｍ）に共通して芯材を設け、その中央部Ｍには包装用袋の係止用の穴を設け、前記芯材を置いた中央部Ｍより上下のシート二枚の一方の端部に、接着剤層と該接着剤層の上に剥離紙を置き、上下に二つの物品収納空間（Ｃ、Ｃ）を形成し、物品収納空間Ｃを形成するときには、剥離紙５を剥がし、シートの端部を他方のシート側へ折り曲げて接着することを特徴とする包装用袋。
【請求項３】
二枚のシートを重ねて長手方向中央部に芯材を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ｂ、Ｍ）を設け、空間部Ｍに芯材を残し、前記空間部Ｍには商品に本発明の包装雨袋の係止用の穴を設け、さらに、中央部Ｍより上下の二つの空間（Ｂ、Ｂ）には芯材が無く且つ二枚のシートの上部と下端部とを他方のシートと重なるように折り込み、折り込んだシートの外側（他方のシート側）の端部に接着剤層を設けると共に、該接着剤層に剥離紙を乗せ上下に物品収納空間（Ｂ、Ｂ）を形成することを特徴とする包装用袋。
【請求項４】
二枚のシートを重ねて長手方向中央部に芯材を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ａ、Ｍ）を設け、前記空間部Ｍには商品に本発明の包装用袋を係止させるための穴を設け、さらに、中央部Ｍより上下の二つの空間（Ｂ、Ａ）には芯材が無く、空間部Ｍにのみ芯材が置かれ、てあることを特徴とする包装用袋。
【請求項５】
二枚のシートを重ねて長手方向中央部に芯材を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ａ、Ｃ、Ｍ）を設け、前記空間部Ｍには商品に本発明の包装用袋を係止させるための穴を設け、さらに、中央部Ｍより上の空間Ａには芯材が無く、空間部ＭとＣに芯材が置かれ、てあることを特徴とする包装用袋。
【請求項６】
二枚のシートを重ねて長手方向中央部に芯材を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ｃ、Ｍ）を設け、前記空間部Ｍには商品に本発明の包装用袋を係止させるための穴を設け、さらに、中央部Ｍより上の空間Ｂには芯材が無く、空間部ＭとＣに芯材３が置かれてあることを特徴とする包装用袋。
【請求項７】
前記中央部Ｍより上下の二つの空間のＡタイプとＣタイプの両方、または一方は、上記手段でもわかるように、中央部Ｍ近傍に、物品収納入り口を設け、二枚のシートのうちのいずれかの一方の内側に接着剤層と該接着剤層の上に剥離紙を置くようにしたことを特徴とする請求項１及び請求項２或いは請求項４乃至請求項６のいずれかに記載の包装用袋。
【発明の詳細な説明】
【技術分野】
【０００１】
本発明は、商品収容部を二つ有する包装用袋、例えば文房具や菓子類その他、ノベルティ商品等を２個包装することの出来る包装用袋、特に種類の異なるおまけ商品等２種類を収納する包装用袋を一つの主要商品に添付することのできる包装用袋に関する。
【背景技術】
【０００２】
文房具類あるいは菓子類等には子どもの購買意欲や興味を引くためいわゆる「おまけ商品」を付けて販売するものが多い。例えばノートに消しゴムを付けたり、菓子類にプラスチック製のおもちゃを付けたりして販売する。中には子どもだけでくなく、大人でもゴルフ用品にボール用マークやボールを乗せるティ等を付けて販売する例も見られる。或いは女性の場合でも衣服にアクセサリーや化粧品等のおまけ商品をつけることもある。このように購買者の射幸心を刺激し購買意欲を喚起するため「おまけ商品」を添付して販売することは今や良くある販売形態である。
【０００３】
二つの収納部を有する包装用袋の開示例としては、複数の乾電池等をパッケージした状態で店頭に吊り下げて陳列販売するもので、使用済の乾電池と未使用の乾電池とを同一の袋で別の収納部に収納するもので、上部に厚手の合成樹脂シートから成るヘッダ芯材を備えた裏フィルムと、該裏フィルムに重ねられた表フィルムと、表裏フィルムの間に介装された仕切フィルムとを備えた袋体において、裏フィルムと仕切フィルムの間に形成した未使用乾電池収納室が袋体の下部に開口する物品取出口を下部封口片により開閉せしめ、表フィルムと仕切フィルムの間に形成した使用済乾電池収納室が袋体の上部近傍に開口する使用済乾電池投入口を上部封口片により開閉せしめる構成であり、更に、上部封口片とヘッダ芯材との間に未使用乾電池収納室に連通する未使用乾電池投入口を設け、該投入口を封緘自在とした構成の袋体が提案されている（特許文献１）。
【０００４】
また、二つの収容室を持つ包装用袋として、片側に上部封口用フィルムを形成したヘッダ部と、一枚のフィルムに２箇所の折曲部を設けて３重のフィルムとすると共に前記ヘッダ部と区画シールを介して形成した２つの収納室と、前記３重のフィルムのうち後部フィルムに設けられた下部封口フィルムと、で形成されるもので、前記ヘッダ部片側の上部封口用フィルムと、後部封口フィルムに接着剤層Ａ、Ｂが形成されるものも提案されている（特許文献２）。
【先行技術文献】
【特許文献】
【０００５】
【特許文献１】特開２００１−２１３４４６
【特許文献２】特開２００５−０４１５２１
【発明の概要】
【発明が解決しようとする課題】
【０００６】
上記するように、文房具類や菓子類でも或いは大人の種々の商品でも、主要商品に添付することの出来る「おまけ商品」は一つのみである。しかし、子どもでも大人でも「おまけ商品」が必ずしも希望する商品とは限らず、他の商品がほしいと考える購入者は主要商品まで購入意欲をなくすることも多い。一方、「おまけ商品」が気に入った場合、即座に主要商品を購入する。したがって、なるべく気に入った「おまけ商品」を見つける可能性が高くなれば、それだけ主要商品の売れ行きも良くなる。また、二つの部品を組み合わせて使用する場合、当初は組み立てた状態では収容できず、分離して収容し使用時に組み立てるものもある。このような商品をおまけ商品として添付することが出来れば主商品の販売の促進を図ることもできる。さらに、ゴルフ用品や化粧品等は関連性のある異なった商品も多いが、従来は一つのみサービス品として添付される例が多かった。
【０００７】
本発明は、上気する課題に対処するためになされたものであり、購入者におまけ商品を気に入って貰える確率が高くなり、それだけ商品の売れ行きが良くなるための包装用袋を提供することを目的としている。
【課題を解決するための手段】
【０００８】
上記課題を解決するために請求項１に記載の発明は、包装用袋が、二枚のシート（１、２）を重ねて長手方向中央部に芯材３を置いて長手方向両端部を溶着（熱溶着や超音波シール）し、さらに一定の間隔を開けて直角方向に２個所（Ｍ１、Ｍ２）を溶着（熱溶着や超音波シール）し、三つの空間（Ａ、Ａ、Ｍ）を設け、中央部Ｍには芯材３と商品の係止用の穴１０を設け、前記芯材３を置いた中央部Ｍより上下の二つの空間（Ａ、Ａ）には芯材３の無い且つ二枚のシート（１、２）のうちの一方のシート（例えば２）端部に、接着剤層４と該接着剤層４の上に剥離紙５を置き、物品収納空間Ｃを形成するときには、剥離紙５を剥がし、シート２の端部をシート１側へ折り曲げて接着して上下に二つの物品収納空間（Ａ、Ａ）を形成してあることを特徴としている（ＡとＡとの組み合わせ）。
【０００９】
請求項２に記載の記載の発明は、包装用袋が、二枚のシート（１、２）を重ねて長手方向に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｃ、Ｃ、Ｍ）を設けると共に該三つの空間（Ｃ、Ｃ、Ｍ）に共通して芯材３を設け、その中央部Ｍには包装用袋の係止用の穴１０を設け、前記芯材３を置いた中央部Ｍより上下のシート（１、２）二枚の一方の端部に、接着剤層４と該接着剤層４の上に剥離紙５を置き、上下に二つの物品収納空間（Ｃ、Ｃ）を形成してある。物品収納空間Ｃを形成するときには、剥離紙５を剥がし、シート２の端部をシート１側へ折り曲げて接着することを特徴としている（ＣとＣとの組み合わせ）。
【００１０】
請求項３に記載の記載の発明は、包装用袋が、二枚のシート（１、２）を重ねて長手方向中央部に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ｂ、Ｍ）を設け、空間部Ｍに芯材３を残し、前記空間部Ｍには商品に本発明の包装雨袋の係止用の穴を設け、さらに、中央部Ｍより上下の二つの空間（Ｂ、Ｂ）には芯材が無く且つ二枚のシート（１、２）の上部と下端部とを他方のシートと重なるように折り込み、折り込んだシート２の外側（他方のシート側）の端部に接着剤層４を設けると共に、該接着剤層４に剥離紙５を乗せ上下に物品収納空間（Ｂ、Ｂ）を形成することを特徴としている（ＢとＢとの組み合わせ）。
【００１１】
請求項４に記載の記載の発明は、包装用袋が、二枚のシート（１、２）を重ねて長手方向中央部に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ａ、Ｍ）を設け、前記空間部Ｍには商品に本発明の包装用袋を係止させるための穴１０を設け、さらに、中央部Ｍより上下の二つの空間（Ｂ、Ａ）には芯材が無く、空間部Ｍにのみ芯材３が置いてあることを特徴としている。
【００１２】
請求項５に記載の記載の発明は、包装用袋が、二枚のシート（１、２）を重ねて長手方向中央部に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ａ、Ｃ、Ｍ）を設け、そして、前記空間部Ｍには商品に本発明の包装用袋を係止させるための穴１０を設け、さらに、中央部Ｍより上の空間Ａには芯材が無く、空間部ＭとＣに芯材３が置いてあることを特徴としている。
【００１３】
請求項６に記載の記載の発明は、包装用袋が、二枚のシート（１、２）を重ねて長手方向中央部に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ｃ、Ｍ）を設け、前記空間部Ｍには商品に本発明の包装用袋を係止させるための穴１０を設け、中央部Ｍより上の空間Ｂには芯材が無く、空間部ＭとＣに芯材３が置いてあることを特徴としている。
【００１４】
請求項７に記載の記載の発明は、包装用袋が、前記中央部Ｍより上下の二つの空間のＡタイプとＣタイプの両方、または一方は、上記手段でもわかるように、中央部Ｍ近傍に、物品収納入り口を設け、二枚のシートのうちのいずれかの一方の内側に接着剤層と該接着剤層の上に剥離紙を置くようにしたことを特徴としている。すなわち、包装用袋の商品入れ口を中央部Ｍ近傍とするものである。
【発明の効果】
【００１５】
本発明の包装用袋を上記手段とすると、包装用袋に二つの商品収納室ができいるので、これら各収納室に全く種類の異なった商品を収納し、需要者の購買意欲を刺激することができる。例えば、一方の収納室には、菓子類を収納し、他方の収納室には、消しゴムやプラスチックのおもちゃを収納して一層需要者の購買意欲を高める効果がある。或いは組立式のおもちゃの場合、それぞれの収納室に各部品を収納し取り出して組み立てることができる。また、大人用のおまけ商品でも種類の異なるものを複数個収納することができる。例えば、ゴルフ用品等の関連性のある複数の商品を主要品に付けて販売することができる。さらに、化粧品等では質の良いイメージの複数の商品を包装することができる等、本発明に係る包装用袋は主要商品を販売する上で大きな販売促進効果を得ることができる。
【図面の簡単な説明】
【００１６】
【図１】本発明の包装用袋におまけ商品を入れて、主商品の首部に本発明の包装用袋を係止させた状態の使用例の斜視図である。
【図２】図２（Ａ）は、本発明の包装用袋の正面図であり、図２（Ｂ）は図２（Ａ）のＸーＸ矢視断面図であり、図２（Ｃ）は、図２（Ｂ）のＧ部拡大図であり、図２（Ｄ）は、図２（Ｂ）のＨ部拡大図である。
【図３】図３（Ａ）は、本発明の包装用袋の第２の実施例の正面図であり、図３（Ｂ）は図３（Ａ）のＹーＹ矢視断面図であり、図３（Ｃ）は、図３（Ｂ）のＧ部拡大図であり、図３（Ｄ）は、図３（Ｂ）のＨ部拡大図である。
【図４】図４（Ａ）は，本発明の包装用袋の第３の実施例の正面図であり、図４（Ｂ）は図４（Ａ）のＺ−Ｚ矢視断面図であり、図４（Ｃ）は、図４（Ｂ）のＫ部拡大図であり、図４（Ｄ）は、図４（Ｂ）のＰ部拡大図である。
【図５】図５（Ａ）は、本発明の包装用袋の第４の実施例の正面図であり、図５（Ｂ）は図５（Ａ）のＵ−Ｕ矢視断面図であり、図５（Ｃ）は、図５（Ｂ）のＱ部拡大図である。
【図６】図６（Ａ）は、本発明の包装用袋の第５の実施例の正面図であり、図６（Ｂ）は図６（Ａ）のＶ−Ｖ矢視断面図であり、図６（Ｃ）は、図６（Ｂ）のＲ部拡大図であり、図６（Ｄ）は、図６（Ｂ）のＳ部拡大図である。
【図７】図７（Ａ）は、本発明の包装用袋の第６の実施例の正面図であり、図７（Ｂ）は図７（Ａ）のＷ−Ｗ矢視断面図であり、図７（Ｃ）は、図７（Ｂ）のＪ部拡大図であり、図７（Ｄ）は図７（Ｂ）のＮ部拡大図である。
【図８】図８（Ａ）は、本発明の包装用袋の第７の実施例の正面図であり、図８（Ｂ）は図８（Ａ）のＬ−Ｌ矢視断面図であり、図８（Ｃ）は、図８（Ｂ）のＯ部拡大図である。
【図９】本発明の包装用袋の第７の実施例の包装用袋を展示棒に通して店頭で吊り下げて展示した状態の斜視図である。
【発明を実施するための最良の形態】
【００１７】
以下、本発明を実施するための最良の形態について図面を参照しながら説明する。図１は、本発明の包装用袋におまけ商品を入れて、主商品の首部に本発明の包装用袋を係止させた状態の使用例の斜視図である。本発明の包装用袋はこの図に示すように、二つの収容部におまけ商品（必ずしもおまけ商品である必要はない）Ｇ１、Ｇ２を収容し主商品Ｅの首部に掛けて展示し使用する。この包装用袋について更に詳細に説明する。
【００１８】
図２（Ａ）は、本発明の包装用袋の第１の実施例の正面図であり、図２（Ｂ）は図２（Ａ）のＸーＸ矢視断面図であり、図２（Ｃ）は、図２（Ｂ）のＧ部拡大図であり、図２（Ｄ）は、図２（Ｂ）のＨ部拡大図である。
本実施例では、二枚のシート（１、２）を重ねて長手方向中央部に芯材３を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ａ、Ａ、Ｍ）を設け、中央部Ｍには芯材３と商品の係止用の穴１０を設け、前記芯材３を置いた中央部Ｍより上下の二つの空間（Ａ、Ａ）には芯材３の無い且つ二枚のシート（１、２）のうちの一方のシート（例えば２）端部に、接着剤層４と該接着剤層４の上に剥離紙５を置き、物品収納空間を形成するときには、剥離紙５を剥がし、シート２の端部をシート１側へ折り曲げて接着して上下に二つの物品収納空間（Ａ、Ａ）を形成してある。前記係止用の穴１０は本発明の包装用袋をボトルの首に掛けたり、商品の突起部に掛けるためのものである。なお、この第１の実施例は、便宜上Ａタイプとする。
【００１９】
図３（Ａ）は、本発明の包装用袋の第２の実施例の正面図であり、図３（Ｂ）は図３（Ａ）のＹーＹ矢視断面図であり、図３（Ｃ）は、図３（Ｂ）のＩ部拡大図であり、図３（Ｄ）は、図３（Ｂ）のＨ部拡大図である。
本実施例では、二枚のシート（１、２）を重ねて長手方向中央部に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｃ、Ｃ、Ｍ）を設けると共に該三つの空間（Ｃ、Ｃ、Ｍ）に共通して芯材３を設け、その中央部Ｍには包装用袋の係止用の穴１０を設け、前記芯材３を置いた中央部Ｍより上下のシート（１、２）二枚の一方の端部に、接着剤層４と該接着剤層４の上に剥離紙５を置き、上下に二つの物品収納空間（Ｃ、Ｃ）を形成してある。物品収納空間Ｃを形成するときには、剥離紙５を剥がし、シート２の端部をシート１側へ折り曲げて接着する。なお、この第２の実施例は、便宜上Ｃタイプとする。
【００２０】
図４（Ａ）は，本発明の包装用袋の第３の実施例の正面図であり、図４（Ｂ）は図４（Ａ）のＺ−Ｚ矢視断面図であり、図４（Ｃ）は、図４（Ｂ）のＫ部拡大図であり、図４（Ｄ）は、図４（Ｂ）のＰ部拡大図である。                    本実施例では、二枚のシート（１、２）を重ねて長手方向中央部に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ｂ、Ｍ）を設け、空間部Ｍに芯材３を残すものである。そして、前記空間部Ｍには商品に本発明の包装用袋の係止用の穴１０を設ける。さらに、中央部Ｍより上下の二つの空間（Ｂ、Ｂ）には芯材が無く且つ二枚のシート（１、２）の上部と下端部とを他方のシートと重なるように折り込み、折り込んだシート２の外側（他方のシート１側）の端部に接着剤層４を設けると共に、該接着剤層４に剥離紙５を乗せ上下に物品収納空間（Ｂ、Ｂ）を形成する。この場合、図３（Ｄ）に示すように、もう一方のシート１と剥離紙５との間にはシート６がおいてあるが、これは製造時シート１とシート２との両端部をうまく溶着させるために入れるものである。シート１とシート２を溶着したらこのシート６は除去する。
なお、この第３の実施例は、便宜上Ｂタイプとする。
【００２１】
次に、図５（Ａ）は、本発明の包装用袋の第４の実施例の正面図であり、図５（Ｂ）は図４（Ａ）のＵ−Ｕ矢視断面図であり、図４（Ｃ）は、図４（Ｂ）のＱ部拡大図である。
本実施例では、二枚のシート（１、２）を重ねて長手方向中央部に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ａ、Ｍ）を設けるものである。そして、前記空間部Ｍには商品に本発明の包装用袋を係止させるための穴１０を設ける。さらに、中央部Ｍより上下の二つの空間（Ｂ、Ａ）には芯材が無く、空間部Ｍにのみ芯材３が置いてある。この実施例は、３つの空間部のうち、一方の空間部Ｂは段落番号［００２０］で説明した空間部Ｂと同じ構成であり、他方の空間部Ａは、段落番号［００１８］で説明した空間部Ａと同じ構成である。すなわち、本実施例は、空間部Ｍの上下に空間部Ｂタイプと空間部Ａタイプとを組み合わせた二つの空間部を有するものである。
【００２２】
図６（Ａ）は、本発明の包装用袋の第５の実施例の正面図であり、図６（Ｂ）は図６（Ａ）のＶ−Ｖ矢視断面図であり、図６（Ｃ）は、図６（Ｂ）のＲ部拡大図であり、図６（Ｄ）は、図６（Ｂ）のＳ部拡大である。
本実施例では、二枚のシート（１、２）を重ねて長手方向中央部に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ａ、Ｃ、Ｍ）を設けるものである。そして、前記空間部Ｍには商品に本発明の包装用袋を係止させるための穴１０を設ける。さらに、中央部Ｍより上の空間Ａには芯材３が無く、空間部ＭとＣに芯材３が置いてある。この実施例は、３つの空間部のうち、一方の空間部Ａは段落番号［００１８］で説明した空間部Ａと同じ構成であり、他方の空間部Ｃは、段落番号［００１９］で説明した空間部Ｃと同じ構成である。すなわち、本実施例は、空間部Ｍの上下に空間部Ａタイプと空間部Ｃタイプとを組み合わせた二つの空間部を有するものである。
【００２３】
図７（Ａ）は、本発明の包装用袋の第６の実施例の正面図であり、図７（Ｂ）は図７（Ａ）のＷ−Ｗ矢視断面図であり、図７（Ｃ）は、図７（Ｂ）のＪ部拡大図であり、図７（Ｄ）は図７（Ｂ）のＮ部拡大図である。
本実施例では、二枚のシート（１、２）を重ねて長手方向中央部に芯材（３）を置いて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ｃ、Ｍ）を設けるものである。そして、前記空間部Ｍには商品に本発明の包装用袋を係止させるための穴１０を設ける。さらに、中央部Ｍより上の空間Ｂには芯材３が無く、空間部ＭとＣに芯材３が置いてある。この実施例は、３つの空間部のうち、一方の空間部Ｂは段落番号［００２０］で説明した空間部Ａと同じ構成であり、他方の空間部Ｃは、段落番号［００１９］で説明した空間部Ｃと同じ構成である。すなわち、本実施例は、空間部Ｍの上下に空間部Ｂタイプと空間部Ｃタイプとを組み合わせた二つの空間部を有するものである。
【００２４】
図８（Ａ）は、本発明の包装用袋の第７の実施例の正面図であり、図８（Ｂ）は図８（Ａ）のＬ−Ｌ矢視断面図であり、図８（Ｃ）は、図８（Ｂ）のＯ部拡大図である。
本実施例では、一枚のシート２の途中で上下に折り、重ねて長手方向両端部を溶着（熱溶着や超音波シール）し、さらに一定の間隔を開けて直角方向に２個所（Ｍ１、Ｍ２）溶着（熱溶着や超音波シール）し、三つの空間（Ｂ、Ｄ、Ｍ）を設けるものである。そして、前記空間部Ｍには、本発明の包装用袋を係止させるための係止穴１１、１１を２箇所設ける。この２箇所の係止穴１１、１１は、前記空間部Ｍを二つ折りにしたとき係止穴１１と穴１１とが重なり、該穴１１を商品展示用の棒２１に通して展示するためのものである（図９参照）。さらに、中央部Ｍより上、下の空間Ｂ、Ｄのいずれにも芯材は無い。これら空間（Ｂ、Ｄ）にはおまけ商品や付属商品を２個収納することができる。この実施例は、３つの空間部のうちＭ部を折り曲げて展示棒２１に係止穴１１、１１を通すようにしてある。また、空間部Ｂは、段落番号［００２０］で説明した空間部Ｂと同じ構成である。
【００２５】
さらに、他方の空間部Ｄは、図７（Ｃ）に示すように、折り曲げたシート２の端部近傍をさらに外側に折り曲げ、外側に接着剤層４を設けて゛該接着層４の上に剥離紙５を置いてある。すなわち、本第７の実施例は、図９に示すように、空間部Ｂと空間部Ｄとを組み合わせ、中央部Ｍを二つに折り曲げて穴１０、１０に展示棒２１を通して吊り下げて展示するようにした包装用袋である。この実施例でももう一方のシート１と剥離紙５との間には、シート１とシート２との両端部をうまく溶着させるためのシート６が入れてある。シーと１トシート２を溶着したらこのシート６は除去する。
【００２６】
尚、上記第１実施例と第２実施例或いは第４実施例乃至第６実施例では、前記中央部Ｍより上下の二つの空間のＡタイプとＣタイプの両方、または一方は、中央部Ｍ近傍に、物品収納入り口を設け、二枚のシート（１、２）のうちのいずれかの一方の内側に接着剤層４と該接着剤層４の上に剥離紙５を置くようにしても良い（図４や図５や図７のＢタイプ参照）。
【符号の説明】
【００２７】
１    シート
２    シート              
３    芯材
４    接着剤層
５    剥離紙
１０  係止用の穴
１１  係止用の穴    
Ａ    空間部        
Ｂ    空間部              
Ｃ    空間部              
Ｍ    中間部
Ｍ１  接着部
Ｍ２  接着部
【図１】
2011116431.tif 000003
【図２】
2011116431.tif 000004
【図３】
2011116431.tif 000005
【図４】
2011116431.tif 000006
【図５】
2011116431.tif 000007
【図６】
2011116431.tif 000008
【図７】
2011116431.tif 000009
【図８】
2011116431.tif 000010
【図９】
2011116431.tif 000011